(57)【特許請求の範囲】
【請求項１】
ＲＬＣ  ＳＤＵまたはＲＬＣ  ＳＤＵセグメントの長さが閾値より大きいか否かを判定するステップ、
前記ＲＬＣ  ＳＤＵまたはＲＬＣ  ＳＤＵセグメントの長さが前記閾値より大きい場合に、ネットワークで割り当てられた長さインジケータのタイプを判定するステップ、および
前記長さインジケータの前記タイプに従って、前記ＲＬＣ  ＳＤＵまたはＲＬＣ  ＳＤＵセグメントをＲＬＣ  ＰＤＵの最後にマッピングするように強制するか否かを判定するステップを含む無線通信方法。
【請求項２】
前記長さインジケータの前記タイプが１１ビットの長さインジケータである第１のタイプの場合、前記ＲＬＣ  ＳＤＵまたはＲＬＣ  ＳＤＵセグメントを前記ＲＬＣ  ＰＤＵの最後にマッピングするように強制するステップを含む請求項１に記載の無線通信方法。
【請求項３】
前記長さインジケータの前記タイプが１５ビットの長さインジケータである第２のタイプである場合、前記ＲＬＣ  ＳＤＵまたはＲＬＣ  ＳＤＵセグメントを前記ＲＬＣ  ＰＤＵの最後にマッピングするように強制しないステップを含む請求項１に記載の無線通信方法。
【請求項４】
ネットワークで割り当てられた長さインジケータのタイプを判定するステップ、
前記長さインジケータの前記タイプが１１ビットの長さインジケータである場合、ＲＬＣ  ＳＤＵまたはＲＬＣ  ＳＤＵセグメントの長さが閾値より大きいか否かを判定するステップ、および
前記ＲＬＣ  ＳＤＵまたはＲＬＣ  ＳＤＵセグメントの長さが前記閾値より大きい場合、前記ＲＬＣ  ＳＤＵまたはＲＬＣ  ＳＤＵセグメントを前記ＲＬＣ  ＰＤＵの最後にマッピングするように強制するステップを含む無線通信方法。
【請求項５】
前記ＲＬＣ  ＳＤＵまたはＲＬＣ  ＳＤＵセグメントの長さが前記閾値より大きくない場合、前記ＲＬＣ  ＳＤＵまたはＲＬＣ  ＳＤＵセグメントを前記ＲＬＣ  ＰＤＵの最後にマッピングするように強制しないステップを含む請求項４に記載の無線通信方法。
【請求項６】
プロセッサを含む無線通信装置であって、
前記プロセッサは、
ＲＬＣ  ＳＤＵまたはＲＬＣ  ＳＤＵセグメントの長さが閾値より大きいか否かを判定し、前記ＲＬＣ  ＳＤＵまたはＲＬＣ  ＳＤＵセグメントの長さが前記閾値より大きい場合、ネットワークで割り当てられた長さインジケータのタイプを判定し、
前記長さインジケータの前記タイプに従って、前記ＲＬＣ  ＳＤＵまたはＲＬＣ  ＳＤＵセグメントをＲＬＣ  ＰＤＵの最後にマッピングするように強制するか否かを判定する無線通信装置。
【請求項７】
前記プロセッサは、前記長さインジケータの前記タイプが１１ビットの長さインジケータである第１のタイプの場合、前記ＲＬＣ  ＳＤＵまたはＲＬＣ  ＳＤＵセグメントを前記ＲＬＣ  ＰＤＵの最後にマッピングするように強制する請求項６に記載の無線通信装置。
【請求項８】
前記プロセッサは、前記長さインジケータの前記タイプが１５ビットの長さインジケータである第２のタイプの場合、前記ＲＬＣ  ＳＤＵまたはＲＬＣ  ＳＤＵセグメントを前記ＲＬＣ  ＰＤＵの最後にマッピングするように強制しない請求項６に記載の無線通信装置。
【請求項９】
プロセッサを含む無線通信装置において、
前記プロセッサは、
ネットワークで割り当てられた長さインジケータのタイプを判定し、
前記長さインジケータの前記タイプが１１ビットの長さインジケータである場合、ＲＬＣ  ＳＤＵまたはＲＬＣ  ＳＤＵセグメントの長さが閾値より大きいか否かを判定し、
前記ＲＬＣ  ＳＤＵまたはＲＬＣ  ＳＤＵセグメントの長さが前記閾値より大きい場合、前記ＲＬＣ  ＳＤＵまたはＲＬＣ  ＳＤＵセグメントを前記ＲＬＣ  ＰＤＵの最後にマッピングするように強制する無線通信装置。
【請求項１０】
前記プロセッサは、
前記ＲＬＣ  ＳＤＵまたはＲＬＣ  ＳＤＵセグメントの長さが前記閾値より大きくない場合、前記ＲＬＣ  ＳＤＵまたはＲＬＣ  ＳＤＵセグメントを前記ＲＬＣ  ＰＤＵの最後にマッピングするように強制しない請求項９に記載の無線通信装置。
【発明の詳細な説明】
【技術分野】
【０００１】
本出願は、２０１５年６月１２日に出願された米国特許仮出願番号第６２／１０２，２１４号からの優先権を主張するものであり、これらの全ては引用によって本願に援用される。
【０００２】
本発明は、無線通信技術に関するものであり、特に、長さインジケータのタイプに従って連結規則（ｃｏｎｃａｔｅｎａｔｉｏｎ ｒｕｌｅ）において制限されるかどうかを判定する無線通信方法に関するものである。
【背景技術】
【０００３】
これらの多元接続技術は、様々なワイヤレスデバイスが都市、国家、地域、さらには地球規模で通信することを可能にする共通プロトコルを提供するために、様々な電気通信規格において採用されている。新たな電気通信規格の一例としてＬｏｎｇ Ｔｅｒｍ Ｅｖｏｌｕｔｉｏｎ（ＬＴＥ）がある。ＬＴＥは、Ｔｈｉｒｄ Ｇｅｎｅｒａｔｉｏｎ Ｐａｒｔｎｅｒｓｈｉｐ Ｐｒｏｊｅｃｔ（３ＧＰＰ）によって公表されたＵｎｉｖｅｒｓａｌ Ｍｏｂｉｌｅ Ｔｅｌｅｃｏｍｍｕｎｉｃａｔｉｏｎｓ Ｓｙｓｔｅｍ（ＵＭＴＳ）モバイル規格の拡張セットである。ＬＴＥは、スペクトル効率を改善することによってモバイルブロードバンドインターネットアクセスをよりうまくサポートし、コストを下げ、サービスを改善し、新しいスペクトルを利用し、また、ダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより適切に良く統合するように設計されている。
【０００４】
図１Ａは、無線通信デバイスおよびＬＴＥネットワークの従来の制御プレーンプロトコルスタックのブロック図である。無線通信デバイスは、無線リソース制御（ＲＲＣ）層、パケットデータコンバージェンスプロトコル（ｐａｃｋｅｔ ｄａｔａ ｃｏｎｖｅｒｇｅｎｃｅ ｐｒｏｔｏｃｏｌ； ＰＤＣＰ）層、無線リンク制御（ｒａｄｉｏ ｌｉｎｋ ｃｏｎｔｒｏｌ；  ＲＬＣ）、媒体アクセス制御（ｍｅｄｉａ ａｃｃｅｓｓ ｃｏｎｔｒｏｌ； ＭＡＣ）層、物理（Ｐｈｙｓｉｃａｌ）層を含む。ネットワークは、ＲＲＣ層、ＰＤＣＰ層、ＲＬＣ層、ＭＡＣ層、およびＰＨＹ層を含む。図１Ａに示された層は、周知の相互接続方式の３つの下部層、例えば開放型システム間相互接続（ＯＳＩ）の参照モデルに基づいた第１の層（Ｌａｙｅｒ１）、第２の層（Ｌａｙｅｒ２）、および第３の層（Ｌａｙｅｒ３）に分割されることができる。図１Ｂは、無線通信デバイスおよびＬＴＥネットワークの従来のユーザープレーンプロトコルスタックのブロック図である。無線通信デバイスは、パケットデータコンバージェンスプロトコル（ｐａｃｋｅｔ ｄａｔａ ｃｏｎｖｅｒｇｅｎｃｅ ｐｒｏｔｏｃｏｌ； ＰＤＣＰ）層、無線リンク制御（ｒａｄｉｏ ｌｉｎｋ ｃｏｎｔｒｏｌ；  ＲＬＣ）、媒体アクセス制御（ｍｅｄｉａ ａｃｃｅｓｓ ｃｏｎｔｒｏｌ； ＭＡＣ）層、物理（Ｐｈｙｓｉｃａｌ）層を含む。ネットワークは、ＰＤＣＰ層、ＲＬＣ層、ＭＡＣ層、およびＰＨＹ層を含む。図１Ｂに示された層は、周知の相互接続方式の３つの下部層、例えば開放型システム間相互接続（ＯＳＩ）の参照モデルに基づいた第１の層（Ｌａｙｅｒ１）、第２の層（Ｌａｙｅｒ２）、および第３の層（Ｌａｙｅｒ３）に分割されることができる。
【０００５】
ＬＴＥ標準では、以下のようにＲＬＣ層のＲＬＣサービスデータユニット（ＳＤＵ）とＲＬＣプロトコルデータユニット（ＰＤＵ）に関するいくつかの標準がある。図２に示されるように、ＲＬＣ  ＰＤＵは、２つの部分、ヘッダー（ｈｅａｄ；  Ｈ）およびデータフィールドを含み、ヘッダーは、データフィールドにある異なるＲＬＣ  ＳＤＵまたはＲＬＣ  ＳＤＵセグメントを示す複数の長さインジケータ（Ｌｅｎｇｔｈ  Ｉｎｄｉｃａｔｏｒ；ＬＩ）を含む。各ＲＬＣ  ＳＤＵまたはＲＬＣ  ＳＤＵセグメントは、最後のＲＬＣ  ＳＤＵまたはＲＬＣ  ＳＤＵセグメント以外、ＲＬＣ  ＰＤＵの長さインジケータによって示される必要がある。即ち、最後のＲＬＣ  ＳＤＵまたはＲＬＣ  ＳＤＵセグメントは、長さインジケータを必要としない。長さインジケータは、ＲＬＣ  ＰＤＵにあるＲＬＣ  ＳＤＵまたはＲＬＣ  ＳＤＵセグメントの長さを示している。
【０００６】
ＬＴＥ標準のリリース１１（Ｒ１１）の前、長さインジケータの長さは、１１ビット（１１ビット長さインジケータ）であり、この長さインジケータは、ＲＬＣ  ＳＤＵまたはＲＬＣ  ＳＤＵセグメントの２０４７バイトまでの長さしか表すことができない。従って、ＲＬＣ  ＳＤＵまたはＲＬＣ  ＳＤＵセグメントの長さが２０４７バイトより大きい場合、ＲＬＣ  ＳＤＵまたはＲＬＣ  ＳＤＵセグメントはＲＬＣ  ＰＤＵのデータフィールドの最後にマップされる必要がある。図３Ａ〜図３Ｂを例にとると、ＳＤＵ＃３の長さが２０４７バイトより小さい、または２０４７バイトと等しいとき（図３Ａに示されるように）、ＳＤＵ＃３は、ＲＬＣ  ＰＤＵのデータフィールドの最後にマップされず、ＳＤＵ＃４は、ＳＤＵ＃３と連結される。ＳＤＵ＃３の長さが２０４７バイトより大きい場合（図３Ｂに示されるように）、ＳＤＵ＃３は、ＰＬＣ  ＰＤＵのデータフィールドの最後にマップされ、ＳＤＵ＃４は、次のＲＬＣ  ＰＤＵにマップされる必要がある。
【０００７】
ＬＴＥ標準のリリース１２（Ｒ１２）では、１５ビットの長さインジケータが構成されることができ、この長さインジケータは、ＲＬＣ  ＳＤＵまたはＲＬＣ  ＳＤＵセグメントの３２７６７バイト（ＲＬＣ  ＳＤＵの最大の長さは、８１８８バイトである）までの長さを表すことができる。しかしながら、現在のＬＴＥ標準では、連結規則は、ＲＬＣ層になお制限されている。即ち、ＵＥが１５ビットの長さインジケータをサポートしても、ＲＬＣ  ＳＤＵまたはＲＬＣ  ＳＤＵセグメントは、その長さが２０４７バイトより大きい場合、ＲＬＣ  ＰＤＵのデータフィールドの最後になおマップされる必要がある。図３を例にとると、１５ビットの長さインジケータでは、ＳＤＵ＃３の長さが２０４７バイトより大きい場合、ＳＤＵ＃３は、ＲＬＣ  ＰＤＵのデータフィールドの最後になおマップされ、ＳＤＵ＃４は、次のＰＬＣ  ＰＤＵになおマップされる必要がある。
【発明の概要】
【発明が解決しようとする課題】
【０００８】
上述の問題を克服する無線通信方法および装置を提供する。
【課題を解決するための手段】
【０００９】
本発明の実施形態は、無線通信方法を提供する。無線通信方法は、ＲＬＣ  ＳＤＵまたはＲＬＣ  ＳＤＵセグメントの長さが閾値より大きいかどうかを判定するステップ、ＲＬＣ  ＳＤＵまたはＲＬＣ  ＳＤＵセグメントの長さが閾値より大きいとき、ネットワークで割り当てられた長さインジケータのタイプを判定するステップ、および長さインジケータのタイプに従って、ＲＬＣ  ＳＤＵまたはＲＬＣ  ＳＤＵセグメントをＲＬＣ  ＰＤＵの最後にマッピングするように強制するか否かを判定するステップを含む。いくつかの実施形態では、閾値は、２０４７バイトである。
【００１０】
本発明のいくつかの実施形態では、無線通信方法は、長さインジケータのタイプが第１のタイプの場合、ＲＬＣ  ＳＤＵまたはＲＬＣ  ＳＤＵセグメントをＲＬＣ  ＰＤＵの最後にマッピングするように強制するステップを更に含む。本発明のいくつかの実施形態では、第１のタイプは、１１ビットの長さインジケータである。
【００１１】
本発明のいくつかの実施形態では、無線通信方法は、長さインジケータのタイプが第２のタイプである場合、ＲＬＣ  ＳＤＵまたはＲＬＣ  ＳＤＵセグメントをＲＬＣ  ＰＤＵの最後にマッピングするように強制しないステップを更に含む。いくつかの実施形態では、第２のタイプは、１５ビットの長さインジケータである。
【００１２】
本発明の実施形態は、無線通信方法を提供する。無線通信方法は、ネットワークで割り当てられた長さインジケータのタイプを判定するステップ、および長さインジケータのタイプが第２のタイプである場合、ＲＬＣ  ＳＤＵまたはＲＬＣ  ＳＤＵセグメントをＲＬＣ  ＰＤＵの最後にマッピングするように強制しないステップを含む。本発明のいくつかの実施形態では、無線通信方法は、長さインジケータのタイプが第１のタイプの場合、ＲＬＣ  ＳＤＵまたはＲＬＣ  ＳＤＵセグメントの長さが閾値より大きいかどうかを判定するステップ、およびＲＬＣ  ＳＤＵまたはＲＬＣ  ＳＤＵセグメントの長さの判定結果に従って、ＲＬＣ  ＳＤＵまたはＲＬＣ  ＳＤＵセグメントをＲＬＣ  ＰＤＵの最後にマッピングするように強制するか否かを判定するステップを更に含む。
【００１３】
本発明の実施形態は、無線通信装置を提供する。無線通信装置は、プロセッサを含む。プロセッサは、ＲＬＣ  ＳＤＵまたはＲＬＣ  ＳＤＵセグメントの長さが閾値より大きいかどうかを判定し、ＲＬＣ  ＳＤＵまたはＲＬＣ  ＳＤＵセグメントの長さが閾値より大きいとき、ネットワークで割り当てられた長さインジケータのタイプを判定し、且つ長さインジケータのタイプに従って、ＲＬＣ  ＳＤＵまたはＲＬＣ  ＳＤＵセグメントをＲＬＣ  ＰＤＵの最後にマッピングするように強制するか否かを判定するように構成される。
【００１４】
本発明の実施形態は、無線通信装置を提供する。無線通信装置は、プロセッサを含む。プロセッサは、ネットワークで割り当てられた長さインジケータのタイプを判定し、且つ長さインジケータのタイプが第２のタイプである場合、ＲＬＣ  ＳＤＵまたはＲＬＣ  ＳＤＵセグメントをＲＬＣ  ＰＤＵの最後にマッピングするように強制しない。本発明のいくつかの実施形態では、プロセッサは、長さインジケータのタイプが第１のタイプの場合、ＲＬＣ  ＳＤＵまたはＲＬＣ  ＳＤＵセグメントの長さが閾値より大きいかどうかを更に判定し、且つＲＬＣ  ＳＤＵまたはＲＬＣ  ＳＤＵセグメントの長さの判定結果に従って、ＲＬＣ  ＳＤＵまたはＲＬＣ  ＳＤＵセグメントをＲＬＣ  ＰＤＵの最後にマッピングするように強制するか否かを判定する。
【００１５】
本発明の目的、特徴並び発明の効果をより詳細に理解させるため、以下好適な実施例と添付の図面により、本発明の技術的事項をより詳細に説明する。
【図面の簡単な説明】
【００１６】
【図１Ａ】従来技術の無線通信デバイスおよびＬＴＥネットワークの従来の制御プレーンプロトコルスタックのブロック図である。
【図１Ｂ】従来技術の無線通信デバイスおよびＬＴＥネットワークの従来のユーザープレーンプロトコルスタックのブロック図である。
【図２】従来技術のＲＬＣ  ＰＤＵを示す概略図である。
【図３Ａ】従来技術のＲＬＣ  ＳＤＵの１１ビットの長さインジケータのＲＬＣ  ＰＤＵを示す概略図である。
【図３Ｂ】従来技術のＲＬＣ  ＳＤＵの１１ビットの長さインジケータのＲＬＣ  ＰＤＵを示す概略図である。
【図４】本発明の実施形態に係る、移動通信システム１００のブロック図である。
【図５Ａ】本発明の実施形態に係る、ＲＬＣ  ＳＤＵの１１ビットの長さインジケータのＲＬＣ  ＰＤＵを示す概略図である。
【図５Ｂ】本発明のもう１つの実施形態に係る、ＲＬＣ  ＳＤＵの１５ビットの長さインジケータのＲＬＣ  ＰＤＵを示す概略図である。
【図６】本発明の実施形態に係る、無線通信方法を示すフローチャートである。
【図７】本発明のもう１つの実施形態に係る、無線通信方法を示すフローチャートである。
【図８】本発明のもう１つの実施形態に係る、無線通信方法を示すフローチャートである。
【図９Ａ】本発明のもう１つの実施形態に係る、無線通信方法を示すフローチャートである。
【図９Ｂ】本発明のもう１つの実施形態に係る、無線通信方法を示すフローチャートである。
【発明を実施するための形態】
【００１７】
以下の説明は、本発明を実施するベストモードが開示されている。この説明は、本発明の一般原理を例示する目的のためのもので本発明を限定するものではない。
【００１８】
図４は、本発明の実施形態に係る、移動通信システム１００のブロック図である。システム１００は、ユーザ端末（ＵＥ）１１０とサービスネットワーク１２０を含む。ＵＥ１１０は、例えば、携帯電話、スマートフォンモデムプロセッサ、データカード、ラップトップスティック、モバイルホットスポット、モバイルホットスポット、ＵＳＢモデム、タブレットなどの移動通信デバイスであることができる。
【００１９】
ＵＥ１１０は、少なくともベースバンド信号処理装置１１１、無線周波（ＲＦ）信号処理装置１１２、プロセッサ１１３、メモリ装置１１４、および少なくとも１つのアンテナを含むアンテナモジュールを有する。留意すべきことは、本実施形態のコンセプトを明確にするために、図４は、本発明に関連した構成要素を簡易化したブロック図を示している。しかしながら、本発明は、図４に示された構造に限定されるべきではない。本発明の実施形態では、ＵＥ１１０は、異なるタイプの長さインジケータ（ＬＩ）、例えば、１１ビットのＬＩおよび１５ビットのＬＩをサポートできる。
【００２０】
ＲＦ信号処理装置１１２は、アンテナによってＲＦ信号を受信し、受信したＲＦ信号を処理して、ベースバンド信号処理装置１１１によって処理されるようにするために、受信したＲＦ信号をベースバンド信号に変換する。または、ベースバンド信号処理装置１１１からベースバンド信号を受信し、ピア通信装置（ｐｅｅｒ ｃｏｍｍｕｎｉｃａｔｉｏｎｓ ａｐｐａｒａｔｕｓ）に伝送するために、受信したベースバンド信号をＲＦ信号に変換する。ＲＦ信号処理装置１１２は、複数のハードウェア要素を含み、無線周波数の変換を行う。例えば、ＲＦ信号処理装置１１２は、パワーアンプ、ミキサなどを含むことができる。
【００２１】
ベースバンド信号処理装置１１１は、ベースバンド信号を更に処理し、ピア通信装置によって送信された情報またはデータを得ることができる。ベースバンド信号処理装置１１１は、複数のハードウェア要素を含んでベースバンド信号処理を行うこともできる。ベースバンド信号処理は、アナログデジタル変換（ＡＤＣ）、デジタルアナログ変換（ＤＡＣ）、ゲイン調整、変調（ｍｏｄｕｌａｔｉｏｎ）／復調（ｄｅｍｏｄｕｌａｔｉｏｎ）、符号化（ｅｎｃｏｄｉｎｇ）／復号化（ｄｅｃｏｄｉｎｇ）などを含むことができる。
【００２２】
プロセッサ１１３は、ベースバンド信号処理装置１１１およびＲＦ信号処理装置１１２の操作を制御する。本発明の実施形態に基づいて、プロセッサ１１３は、対応するベースバンド信号処理装置１１１および／またはＲＦ信号処理装置１１２のソフトウェアモジュールのプログラムコードを実行するように用いられることもできる。プログラムコードが実行されているとき、データ構造の特定のデータに伴ったプログラムコードは、プロセッサ論理ユニット（ｐｒｏｃｅｓｓｏｒ ｌｏｇｉｃ ｕｎｉｔ）またはスタックインスタンスと呼ばれてもよい。従って、プロセッサ１１３は、複数のプロセッサ論理ユニットからなり、それぞれ対応するソフトウェアモジュールの１つ以上の特定の機能またはタスクを実行することができる。
【００２３】
メモリ装置１１４は、ＵＥ１１０のソフトウェアおよびファームウェアプログラムコード、システムデータ、ユーザデータなどを保存することができる。メモリ装置１１４は、ランダムアクセスメモリ（ＲＡＭ）などの揮発性メモリ、フラッシュメモリまたは読み出し専用メモリ（ＲＯＭ）などの不揮発性メモリ、ハードディスク、またはその任意の組み合わせであることができる。
【００２４】
本発明の実施形態に基づいて、ＲＦ信号処理装置１１２およびベースバンド信号処理装置１１１は、共に無線ネットワークと通信可能な無線モジュールとされ、所定の無線アクセス技術（ＲＡＴ）に従って、無線通信サービスを提供することができる。留意すべきことは、本発明のいくつかの実施形態では、ＵＥ１１０は、１つ以上のアンテナおよび／または１つ以上の無線モジュールを更に含むように拡張されることができるが、本発明は、図４に示された実施形態に限定されるものではない。
【００２５】
また、本発明のいくつかの実施形態では、プロセッサ１１３は、ベースバンド信号処理装置１１１に代替して構成されるか、またはＵＥ１１０は、ベースバンド信号処理装置１１１に代替して構成される他のプロセッサを含んでもよい。従って、本発明は、図４に示された構造に限定されるものではない。
【００２６】
サービスネットワーク１２０は、ＧＳＭ（登録商標）／ＥＤＧＥ無線接続ネットワーク（ＧＥＲＡＮ）１３０、地上無線アクセスネットワーク（ＵＴＲＡＮ）１４０、次世代地上無線アクセスネットワーク（Ｅ−ＵＴＲＡＮ）１５０、汎用パケット無線サービス（ＧＰＲＳ）サブシステム１６０、および発展型パケットコア（ＥＰＣ）サブシステム１７０を含むことができる。ＧＥＲＡＮ１３０、ＵＴＲＡＮ１４０、およびＥ−ＵＴＲＡＮ１５０は、ＧＰＲＳサブシステム１６０またはＥＰＣサブシステム１７０と通信する。ＧＥＲＡＮ１３０、ＵＴＲＡＮ１４０、およびＥ−ＵＴＲＡＮ１５０は、ＵＥ１１０との無線送受信の機能によって、ＧＰＲＳサブシステム１６０またはＥＰＣサブシステム１７０に対して、ＵＥ１１０とＧＰＲＳサブシステム１６０またはＥＰＣサブシステム１７０間の接続をさせる。ＧＰＲＳサブシステム１６０またはＥＰＣサブシステム１７０は、ＧＥＲＡＮ１３０、ＵＴＲＡＮ１４０、およびＥ−ＵＴＲＡＮ１５０に必要な操作を知らせ、無線サービスをＵＥに提供する。ＧＥＲＡＮ１３０、ＵＴＲＡＮ１４０、およびＥ−ＵＴＲＡＮ１５０は、１つ以上の基地局（ＮｏｄｅＢｓまたはｅＮｏｄｅＢｓとも呼ばれる）および無線ネットワークコントローラ（ＲＮＣ）を含むことができる。具体的に言えば、ＧＰＲＳサブシステム１６０は、サービング汎用パケット無線サービス（ＧＰＲＳ）サポートノード（ＳＧＳＮ）１６１と、ゲートウェイＧＰＲＳサポートノード（ＧＧＳＮ）１６２を含む。ＳＧＳＮ１６１は、パケットルーティングと転送、移動管理（例えば、アタッチ／デタッチ（ａｔｔａｃｈ／ｄｅｔａｃｈ）および位置管理）、セッション管理、論理リンク管理、並びに認証および課金機能などの重要な制御ノードである。ＧＧＳＮ１６２は、パケットデータプロトコル（ＰＤＰ）アドレス割り当ておよび外部ネットワークとの相互運用性を担う。ＥＰＣサブシステム１７０は、モビリィティ管理エンティティ（ＭＭＥ）１７１を含み、アイドルモード（ｉｄｌｅ ｍｏｄｅ）のＵＥトラッキング、ページング手順、および接続（ａｔｔａｃｈｍｅｎｔ）および起動プロセスを担う。ＥＰＣサブシステム１７０は、データパケットの経路および転送を担うサービングゲートウェイ（ＳＧＷ）１７２も含むことができる。ＥＰＣサブシステム１７０は、ＵＥ１１０から外部ネットワークへの接続を行う。ＥＰＣサブシステム１７０は、パケットデータネットワークゲートウェイ（ＰＧＷ）１７３も含むことができる。ＳＧＳＮ１６１とＭＭＥ１７１は、ホーム加入者サーバ（ＨＳＳ）１８０と通信し、装置識別情報、国際移動体加入者識別番号（ＩＭＳＩ）などを提供する。ＥＰＣサブシステム１７０は、Ｓ４−ＳＧＳＮ１７５も含むことができるため、ＧＰＲＳサブシステム１６０がＥＰＣサブシステム１７０によって置き換えられたとき、ＧＥＲＡＮ１３０またはＵＴＲＡＮ１４０のアクセスが可能となる、ということが理解されるべきである。また、サービスネットワーク１２０は、他の機能エンティティ、例えば、ユーザ関連情報または加入者関連情報を記憶する中央データベースであるホームロケーションレジスタ（ＨＬＲ）（図示されていない）も含むことができるが、本発明��これに限定されるものではない。本発明の実施形態では、サービスネットワーク１２０は、符号分割多元接続（ＣＤＭＡ）ネットワークも含むことができる。
【００２７】
本発明の実施形態では、プロセッサ１１３は、ＲＬＣ層の上層（例えば、ＰＤＣＰ層）からＲＬＣ  ＳＤＵを受信する。また、ＵＥ１１０は、予め上層からＲＬＣ  ＳＤＵの長さ情報を得ることができる。また、プロセッサ１１３が全ＲＬＣ  ＳＤＵをＲＬＤ  ＰＤＵ内に収めることができない場合（例えば、十分なグラント（ｇｒａｎｔ）がないために）、ＲＬＣ  ＳＤＵの分割（ｓｅｇｍｅｎｔａｔｉｏｎ）により、ＲＬＣ  ＳＤＵセグメントが生成され、且つＲＬＣ  ＳＤＵの分割の後、ＵＥ１１０は、残りのＲＬＣ  ＳＤＵセグメントの長さ情報を維持し続けることができる。次いで、プロセッサ１１３は、ＲＬＣ  ＳＤＵまたはＲＬＣ  ＳＤＵセグメントの長さ情報に従って、ＲＬＣ  ＳＤＵまたはＲＬＣ  ＳＤＵセグメントの長さが閾値より大きいかどうかを判定する。ＲＬＣ  ＳＤＵまたはＲＬＣ  ＳＤＵセグメントの長さが閾値より大きくないとき、ＲＬＣ  ＳＤＵまたはＲＬＣ  ＳＤＵセグメントは、ＲＬＣ  ＰＤＵの最後にマッピングするように強制されない。即ち、同じＲＬＣ  ＰＤＵ内で、次のＲＬＣ  ＳＤＵまたはＲＬＣ  ＳＤＵセグメントと連結されることができる。
【００２８】
ＲＬＣ  ＳＤＵまたはＲＬＣ  ＳＤＵセグメントの長さが閾値より大きいとき、プロセッサ１１３は、ネットワーク１２０で割り当てられた長さインジケータのタイプ（例えば、１１ビットのＬＩまたは１５ビットのＬＩ）を判定する。次いで、プロセッサ１１３は、ネットワーク１２０で割り当てられた長さインジケータのタイプに従って、ＲＬＣ  ＳＤＵまたはＲＬＣ  ＳＤＵセグメントをＲＬＣ  ＰＤＵの最後にマッピングするように強制するか否かを判定する。本発明の実施形態では、閾値は、２０４７バイトに設定される。本発明のもう１つの実施形態では、プロセッサ１１３は、ＲＬＣ  ＳＤＵまたはＲＬＣ  ＳＤＵセグメントの長さが閾値より大きいかどうかを判定する前に、ネットワーク１２０で割り当てられた長さインジケータのタイプを判定する。
【００２９】
本発明の実施形態では、ネットワーク１２０で割り当てられた長さインジケータのタイプが第１タイプ（例えば、１１ビットの長さインジケータ）の場合、プロセッサ１１３は、ＲＬＣ  ＳＤＵまたはＲＬＣ  ＳＤＵセグメントをＲＬＣ  ＰＤＵの最後にマッピングするように強制する。即ち、ＲＬＣ  ＳＤＵまたはＲＬＣ  ＳＤＵセグメントより後にまだ他のＲＬＣ  ＳＤＵまたはＲＬＣ  ＳＤＵセグメントがある場合、このＲＬＣ  ＳＤＵまたはＲＬＣ  ＳＤＵセグメントは、次のＲＬＣ  ＰＤＵにマッピングされる。
【００３０】
ネットワーク１２０で割り当てられた長さインジケータのタイプが第２のタイプ（例えば、１５ビットの長さインジケータ）である場合、プロセッサ１１３は、ＲＬＣ  ＳＤＵまたはＲＬＣ  ＳＤＵセグメントをＲＬＣ  ＰＤＵの最後にマッピングするように強制しない。即ち、ＲＬＣ  ＳＤＵまたはＲＬＣ  ＳＤＵセグメントより後にまだ他のＲＬＣ  ＳＤＵまたはＲＬＣ  ＳＤＵセグメントがある場合、このＲＬＣ  ＳＤＵまたはＲＬＣ  ＳＤＵセグメントは、同じＲＬＣ  ＰＤＵのＲＬＣ  ＳＤＵまたはＲＬＣ  ＳＤＵセグメントと連結されることができる。
【００３１】
本発明の実施形態では、プロセッサ１１３は、ＲＬＣ  ＳＤＵまたはＲＬＣ  ＳＤＵセグメントの長さが、第１の閾値より大きく、第２の閾値より大きくないかどうかを判定する。ＲＬＣ  ＳＤＵまたはＲＬＣ  ＳＤＵセグメントの長さが第１の閾値より大きくないとき、ＲＬＣ  ＳＤＵまたはＲＬＣ  ＳＤＵセグメントは、ＲＬＣ  ＰＤＵの最後にマッピングするように強制されない。即ち、同じＲＬＣ  ＰＤＵ内で次のＲＬＣ  ＳＤＵまたはＲＬＣ  ＳＤＵセグメントと連結されることができる。即ち、このＲＬＣ  ＳＤＵまたはＲＬＣ  ＳＤＵセグメントは、同じＲＬＣ  ＰＤＵのＲＬＣ  ＳＤＵまたはＲＬＣ  ＳＤＵセグメントと連結されることができる。ネットワーク１２０で割り当てられた長さインジケータのタイプが第１のタイプ（例えば、１１ビットの長さインジケータ）であり、ＲＬＣ  ＳＤＵまたはＲＬＣ  ＳＤＵセグメントの長さが第１の閾値と第２の閾値の間にある場合、プロセッサ１１３は、ＲＬＣ  ＳＤＵまたはＲＬＣ  ＳＤＵセグメントをＲＬＣ  ＰＤＵの最後にマッピングするように強制する。ネットワーク１２０で割り当てられた長さインジケータのタイプが第２のタイプ（例えば、１５ビットの長さインジケータ）であり、ＲＬＣ  ＳＤＵまたはＲＬＣ  ＳＤＵセグメントの長さが第１の閾値と第２の閾値の間にある場合、プロセッサ１１３は、ＲＬＣ  ＳＤＵまたはＲＬＣ  ＳＤＵセグメントをＲＬＣ  ＰＤＵの最後にマッピングするように強制しない。ＲＬＣ  ＳＤＵまたはＲＬＣ  ＳＤＵセグメントの長さが第２の閾値より大きいとき、ＲＬＣ  ＳＤＵまたはＲＬＣ  ＳＤＵセグメントは、ＲＬＣ  ＰＤＵの最後にマッピングするように強制される。本発明の実施形態では、第１の閾値は、２０４７バイトに設定され、第２の閾値は、３２７６７バイトに設定される。本発明のもう１つの実施形態では、プロセッサ１１３は、ＲＬＣ  ＳＤＵまたはＲＬＣ  ＳＤＵセグメントの長さが、第１の閾値より大きく、第２の閾値より大きくないかどうかを判定する前に、ネットワーク１２０で割り当てられた長さインジケータのタイプを判定する。
【００３２】
図５Ａ〜図５Ｂは、本発明の実施形態に係る、異なるタイプの長さインジケータのＲＬＣ  ＰＤＵを示す概略図である。図５Ａ〜図５Ｂに示されるように、ＲＬＣ  ＳＤＵ＃Ａの長さは、閾値（例えば、２０４７バイト）より大きい。ネットワーク１２０がＲＬＣ層で１１ビットの長さインジケータを割り当てたとき、ＲＬＣ  ＳＤＵ＃Ａは、ＲＬＣ  ＰＤＵの最後にマッピングするように強制され、ＲＬＣ  ＳＤＵ＃Ｂは、次のＲＬＣ  ＰＤＵにマッピングされる（図５Ａに示されるように）。ネットワーク１２０がＲＬＣ層で１５ビットの長さインジケータを割り当てたとき、ＲＬＣ  ＳＤＵ＃Ａは、ＲＬＣ  ＰＤＵの最後にマッピングするように強制されず、ＲＬＣ  ＳＤＵ＃Ｂは、同じＲＬＣ  ＰＤＵでＲＬＣ  ＳＤＵ＃Ａと連結されることができる（図５Ｂに示されるように）。留意すべきことは、本発明の概念を明確にするために、図５Ａ〜図５Ｂは、簡易化した概略図のみを示して本発明の実施形態を説明している。しかしながら、本発明は、図５Ａ〜図５Ｂに示された実施形態に限定されるべきではない。
【００３３】
図６は、本発明の実施形態に係る、無線通信方法を示すフローチャートである。無線通信方法は、ＵＥ１１０に用いられる。まず、ステップＳ６１０では、ＵＥ１１０は、ＲＬＣ  ＳＤＵまたはＲＬＣ  ＳＤＵセグメントの長さが閾値（例えば、２０４７バイト）より大きいかどうか判定する。ＲＬＣ  ＳＤＵまたはＲＬＣ  ＳＤＵセグメントの長さが閾値より大きくない場合に、ステップＳ６２０が実行される。ステップＳ６２０では、ＵＥ１１０は、ＲＬＣ  ＳＤＵまたはＲＬＣ  ＳＤＵセグメントをＲＬＣ  ＰＤＵの最後にマッピングするように強制しない。
【００３４】
ＲＬＣ  ＳＤＵまたはＲＬＣ  ＳＤＵセグメントの長さが閾値より大きい場合に、ステップＳ６３０が実行される。ステップＳ６３０では、ＵＥ１１０は、ネットワーク１２０で割り当てられた長さインジケータのタイプを判定する。ステップＳ６４０では、ＵＥ１１０は、長さインジケータのタイプに従って、ＲＬＣ  ＳＤＵまたはＲＬＣ  ＳＤＵセグメントをＲＬＣ  ＰＤＵの最後にマッピングするように強制するか否かを判定する。
【００３５】
長さインジケータのタイプが第１のタイプ（例えば、１１ビットの長さインジケータ）である場合に、ステップＳ６５０が実行される。ステップＳ６５０では、ＵＥ１１０は、ＲＬＣ  ＳＤＵまたはＲＬＣ  ＳＤＵセグメントをＲＬＣ  ＰＤＵの最後にマッピングするように強制する。長さインジケータのタイプが第２のタイプ（例えば、１５ビットの長さインジケータ）である場合に、ステップＳ６６０が実行される。ステップＳ６６０では、ＵＥ１１０は、ＲＬＣ  ＳＤＵまたはＲＬＣ  ＳＤＵセグメントをＲＬＣ  ＰＤＵの最後にマッピングするように強制しない。
【００３６】
図７は、本発明の他の実施形態に係る、無線通信方法を示すフローチャートである。無線通信方法は、ＵＥ１１０に用いられる。まず、ステップＳ７１０では、ＵＥ１１０は、ネットワーク１２０で割り当てられた長さインジケータのタイプを判定する。長さインジケータのタイプが第２のタイプ（例えば、１５ビットの長さインジケータ）である場合、ステップＳ７２０が実行される。ステップＳ７２０では、ＵＥ１１０は、ＲＬＣ  ＳＤＵまたはＲＬＣ  ＳＤＵセグメントをＲＬＣ  ＰＤＵの最後にマッピングするように強制されない。
【００３７】
長さインジケータのタイプが第１のタイプ（例えば、１１ビットの長さインジケータ）である場合、ステップＳ７３０が実行される。ステップＳ７３０では、ＵＥ１１０は、ＲＬＣ  ＳＤＵまたはＲＬＣ  ＳＤＵセグメントの長さが閾値（例えば、２０４７バイト）より大きいかどうか判定する。ＲＬＣ  ＳＤＵまたはＲＬＣ  ＳＤＵセグメントの長さが閾値より大きい場合ステップＳ７４０が実行される。ステップＳ７４０では、ＵＥ１１０は、ＲＬＣ  ＳＤＵまたはＲＬＣ  ＳＤＵセグメントをＲＬＣ  ＰＤＵの最後にマッピングするように強制する。ＲＬＣ  ＳＤＵまたはＲＬＣ  ＳＤＵセグメントの長さが閾値より大きくない場合、ステップＳ７５０が実行される。ステップＳ７５０では、ＵＥ１１０は、ＲＬＣ  ＳＤＵまたはＲＬＣ  ＳＤＵセグメントをＲＬＣ  ＰＤＵの最後にマッピングするように強制されない。
【００３８】
図８は、本発明の他の実施形態に係る、無線通信方法を示すフローチャートである。無線通信方法は、ＵＥ１１０に用いられる。まず、ステップＳ８１０では、ＵＥ１１０は、ＲＬＣ  ＳＤＵまたはＲＬＣ  ＳＤＵセグメントの長さが第１の閾値（例えば、２０４７バイト）より大きいか否か判定する。ＲＬＣ  ＳＤＵまたはＲＬＣ  ＳＤＵセグメントの長さが第１の閾値より大きくない場合、ステップＳ８２０が実行される。ステップＳ８２０では、ＵＥ１１０は、ＲＬＣ  ＳＤＵまたはＲＬＣ  ＳＤＵセグメントをＲＬＣ  ＰＤＵの最後にマッピングするように強制されない。
【００３９】
ＲＬＣ  ＳＤＵまたはＲＬＣ  ＳＤＵセグメントの長さが第１の閾値より大きい場合、ステップＳ８３０が実行される。ステップＳ８３０では、ＲＬＣ  ＳＤＵまたはＲＬＣ  ＳＤＵセグメントの長さが第２の閾値（例えば、３２７６７バイト）より大きいか否か判定する。第２の閾値は、第１の閾値より大きい。ＲＬＣ  ＳＤＵまたはＲＬＣ  ＳＤＵセグメントの長さが第２の閾値より大きい場合、ステップＳ８４０が実行される。ステップＳ８４０では、ＵＥ１１０は、ＲＬＣ  ＳＤＵまたはＲＬＣ  ＳＤＵセグメントをＲＬＣ  ＰＤＵの最後にマッピングするように強制する。
【００４０】
ＲＬＣ  ＳＤＵまたはＲＬＣ  ＳＤＵセグメントの長さが第１の閾値と第２の閾値の間である場合、ステップＳ８５０が実行される。ステップＳ８５０では、ＵＥ１１０は、ネットワーク１２０で割り当てられた長さインジケータのタイプを判定する。ステップＳ８６０では、ＵＥ１１０は、長さインジケータのタイプに従って、ＲＬＣ  ＳＤＵまたはＲＬＣ  ＳＤＵセグメントをＲＬＣ  ＰＤＵの最後にマッピングするように強制するか否かを判定する。
【００４１】
長さインジケータのタイプが第１のタイプ（例えば、１１ビットの長さインジケータ）である場合、ステップＳ８７０が実行される。ステップＳ８７０では、ＵＥ１１０は、ＲＬＣ  ＳＤＵまたはＲＬＣ  ＳＤＵセグメントをＲＬＣ  ＰＤＵの最後にマッピングするように強制する。長さインジケータのタイプが第２のタイプ（例えば、１５ビットの長さインジケータ）である場合、ステップＳ８８０が実行される。ステップＳ８８０では、ＵＥ１１０は、ＲＬＣ  ＳＤＵまたはＲＬＣ  ＳＤＵセグメントをＲＬＣ  ＰＤＵの最後にマッピングするように強制しない。
【００４２】
図９Ａ〜図９Ｂは、本発明の他の実施形態に係る、無線通信方法を示すフローチャートである。無線通信方法は、ＵＥ１１０に用いられる。まず、ステップＳ９１０では、ＵＥ１１０は、ネットワーク１２０で割り当てられた長さインジケータのタイプを判定する。長さインジケータのタイプが第１のタイプ（例えば、１１ビットの長さインジケータ）である場合、ステップＳ９２０が実行される。ステップＳ９２０では、ＵＥ１１０は、ＲＬＣ  ＳＤＵまたはＲＬＣ  ＳＤＵセグメントの長さが閾値（例えば、２０４７バイト）より大きいかどうか判定する。ＲＬＣ  ＳＤＵまたはＲＬＣ  ＳＤＵセグメントの長さが閾値より大きくない場合、ステップＳ９３０が実行される。ステップＳ９３０では、ＵＥ１１０は、ＲＬＣ  ＳＤＵまたはＲＬＣ  ＳＤＵセグメントをＲＬＣ  ＰＤＵの最後にマッピングするように強制する。ＲＬＣ  ＳＤＵまたはＲＬＣ  ＳＤＵセグメントの長さが閾値より大きくない場合、ステップＳ９４０が実行される。ステップＳ９４０では、ＵＥ１１０は、ＲＬＣ  ＳＤＵまたはＲＬＣ  ＳＤＵセグメントをＲＬＣ  ＰＤＵの最後にマッピングするように強制されない。
【００４３】
長さインジケータのタイプが第２のタイプ（例えば、１５ビットの長さインジケータ）である場合、ステップＳ９５０が実行される。ステップＳ９５０では、ＵＥ１１０は、ＲＬＣ  ＳＤＵまたはＲＬＣ  ＳＤＵセグメントの長さが閾値より大きいか否か判定する。ＲＬＣ  ＳＤＵまたはＲＬＣ  ＳＤＵセグメントの長さが閾値より大きくない場合、ステップＳ９６０が実行される。ステップＳ９６０では、ＵＥ１１０は、ＲＬＣ  ＳＤＵまたはＲＬＣ  ＳＤＵセグメントをＲＬＣ  ＰＤＵの最後にマッピングするように強制する。ＲＬＣ  ＳＤＵまたはＲＬＣ  ＳＤＵセグメントの長さが閾値より大きくない場合、ステップＳ９７０が実行される。ステップＳ９７０では、ＵＥ１１０は、ＲＬＣ  ＳＤＵまたはＲＬＣ  ＳＤＵセグメントの長さが第２の閾値（例えば、３２７６７バイト）より大きいか否か判定する。第２の閾値は、第１の閾値より大きい。ＲＬＣ  ＳＤＵまたはＲＬＣ  ＳＤＵセグメントの長さが第２の閾値より大きくない場合、ステップＳ９８０が実行される。ステップＳ９８０では、ＵＥ１１０は、ＲＬＣ  ＳＤＵまたはＲＬＣ  ＳＤＵセグメントをＲＬＣ  ＰＤＵの最後にマッピングするように強制しない。ＲＬＣ  ＳＤＵまたはＲＬＣ  ＳＤＵセグメントの長さが第２の閾値より大きい場合、ステップＳ９９０が実行される。ステップＳ９８０では、ＵＥ１１０は、ＲＬＣ  ＳＤＵまたはＲＬＣ  ＳＤＵセグメントをＲＬＣ  ＰＤＵの最後にマッピングするように強制する。
【００４４】
無線通信方法では、ＵＥは、異なるタイプの長さインジケータ（例えば、１１ビットの長さインジケータおよび１５ビットの長さインジケータ）でフレキシブルに操作されることができる。１５ビットの長さインジケータでは、ＲＬＣ  ＳＤＵまたはＲＬＣ  ＳＤＵセグメントは、その長さが２０４７バイトより大きい場合、ＲＬＣ  ＰＤＵのデータフィールドの最後にマッピングするように強制されない。
【００４５】
ここで開示された態様に関連して記述された方法またはアルゴリズムのステップは、直接ハードウェアで、プロセッサによって実行されるソフトウェアモジュール、または２つの組み合わせにおいて具現化されてもよい。（例えば、実行可能命令および関連するデータを含む）ソフトウェアモジュールおよび他のデータは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術において既知のコンピュータ読取可能記憶媒体の任意の他の形式のようなデータメモリに存在してもよい。サンプル記憶媒体は、例えば（利便性上ここでは「プロセッサ」と呼ばれてもよい）コンピュータ／プロセッサのような機械につながれてもよく、そのようなプロセッサは情報（例えば符号）を記憶媒体から読み出し、記憶媒体へ書き込みすることができる。サンプル記憶媒体はプロセッサに不可欠かもしれない。プロセッサ及び記憶媒体はＡＳＩＣ内に存在してもよい。ＡＳＩＣはユーザ機器に存在してもよい。代替案では、プロセッサと記憶媒体はユーザ機器において個別部品として存在してもよい。さらに、いくつかの態様では、いずれか適切なコンピュータプログラム製品も、この開示の態様の１つ以上に関連する符号を具備するコンピュータ読取可能媒体を具備してもよい。ある態様では、コンピュータソフトウェア製品は包装材料を具備してもよい。
【００４６】
留意すべきことは、明確に特定されていないが、ここに述べられた方法の１つ以上のステップは、特定の応用のために必要な記憶、表示、および／または出力のステップを含むことができる。言い換えれば、本方法で述べた任意のデータ、記録、フィールド、および／または中間結果は、特定の応用のために必要な他の装置に記憶、表示、および／または出力されることができる。上記は、本発明の実施形態に向けられているが、他の本発明の更なる実施形態もその基本的な範囲を逸脱せずに、考案され得る。ここに示されたさまざまな実施形態、またはその各部分は、組み合わされてより多くの実施形態を構成することができる。上述の説明では、本発明を実施するベストモードを開示している。この説明は、本発明の一般原理を例示する目的のものであり、本発明を限定するものではない（本発明の範囲は、添付の請求の範囲を参考にして決定される）。
【００４７】
上述の段落は多くの態様を説明しているが、本発明は、多くの方式で実現されることができ、実施形態において述べられた任意の特定の構造または機能は、代表的な条件だけを示している。本発明に述べられた全ての態様は、個別にまたは組み合わされて用いられ得ることは、当業者には理解されよう。
【００４８】
本開示は、実施例の方法を用いて、且つ実施形態の観点から記述されてきたが、本開示は開示された実施形態に限定するものではないということを理解されたい。当業者は、本発明の思想から逸脱しない種々の修正及び変更を行い得る。よって、本発明の範囲は、以下の請求項及びその等価のものによって規定されて保護される。
【符号の説明】
【００４９】
１００…移動通信システム
１１０…ユーザ端末（ＵＥ）
１１１…ベースバンド信号処理装置
１１２…無線周波（ＲＦ）信号処理装置
１１３…プロセッサ
１１４…メモリ装置
１２０…サービスネットワーク
１３０…ＧＳＭ／ＥＤＧＥ無線接続ネットワーク（ＧＥＲＡＮ）
１４０…地上無線アクセスネットワーク（ＵＴＲＡＮ）
１５０…次世代地上無線アクセスネットワーク（Ｅ−ＵＴＲＡＮ）
１６０…汎用パケット無線サービス（ＧＰＲＳ）サブシステム
１６１…サービング汎用パケット無線サービス（ＧＰＲＳ）サポートノード（ＳＧＳＮ）
１６２…ゲートウェイＧＰＲＳサポートノード（ＧＧＳＮ）
１７０…発展型パケットコア（ＥＰＣ）サブシステム
１７１…モビリィティ管理エンティティ（ＭＭＥ）
１７２…サービングゲートウェイ（ＳＧＷ）
１７３…パケットデータネットワークゲートウェイ（ＰＧＷ）
１７５…Ｓ４−ＳＧＳＮ
１８０…ホーム加入者サーバ（ＨＳＳ）
Ｈ…ヘッダー
ＬＩ…長さインジケータ
＃１〜４  ＲＬＣ…ＳＤＵ
＃Ａ〜＃Ｂ  ＲＬＣ…ＳＤＵ
【図１Ａ】
0006634086.tif 000002
【図１Ｂ】
0006634086.tif 000003
【図２】
0006634086.tif 000004
【図３Ａ】
0006634086.tif 000005
【図３Ｂ】
0006634086.tif 000006
【図４】
0006634086.tif 000007
【図５Ａ】
0006634086.tif 000008
【図５Ｂ】
0006634086.tif 000009
【図６】
0006634086.tif 000010
【図７】
0006634086.tif 000011
【図８】
0006634086.tif 000012
【図９Ａ】
0006634086.tif 000013
【図９Ｂ】
0006634086.tif 000014